(57)【要約】  室外ユニット１１、室内ユニット１３、及びリモートコントローラー１５を備え、室外ユニット１１、室内ユニット１３、及びリモートコントローラー１５のそれぞれが室内外専用伝送線３５に接続される空気調和システム１であって、少なくとも、室外ユニット１１、室内ユニット１３、及びリモートコントローラー１５のうちの何れかに形成され、室内外専用伝送線３５で伝送される伝送データが重畳された信号電圧波形に関する波形データを保存するデータ保存モジュール９９と、データ保存モジュール９９を管理する制御モジュール９５とを備え、制御モジュール９５は、信号電圧波形の歪みが、予め設定された許容範囲を超えた場合、波形データをデータ保存モジュール９９に格納する。
2014188574.tif 000002
【特許請求の範囲】
【請求項１】
室外ユニット、室内ユニット、及びリモートコントローラーを備え、前記室外ユニット、前記室内ユニット、及び前記リモートコントローラーのそれぞれが伝送媒体に接続される空気調和システムであって、
少なくとも、前記室外ユニット、前記室内ユニット、及び前記リモートコントローラーのうちの何れかに形成され、前記伝送媒体で伝送される伝送データが重畳された信号電圧波形に関する波形データを保存するデータ保存モジュールと、
前記データ保存モジュールを管理する制御モジュールと
を備え、
前記制御モジュールは、
前記信号電圧波形の歪みが、予め設定された許容範囲を超えた場合、前記波形データを前記データ保存モジュールに格納する
ことを特徴とする空気調和システム。
【請求項２】
前記データ保存モジュールは、
前記波形データとして、前記信号電圧波形の物理データと、前記信号電圧波形を解釈した解釈データと、を紐付けして保存する
ことを特徴とする請求項１に記載の空気調和システム。
【請求項３】
前記データ保存モジュールは、
前記室外ユニットの内部に形成される
ことを特徴とする請求項１又は２に記載の空気調和システム。
【請求項４】
前記データ保存モジュールは、
前記室外ユニットから着脱可能な記録媒体の内部に形成される
ことを特徴とする請求項３に記載の空気調和システム。
【請求項５】
前記室外ユニットが複数設けられ、
複数の前記室外ユニットのそれぞれが前記伝送媒体に接続され、
前記室外ユニットは、
複数の前記室外ユニットのうち、当該室外ユニット以外の前記室外ユニットの内部に形成された前記データ保存モジュールに前記波形データを保存させる
ことを特徴とする請求項３又は４に記載の空気調和システム。
【請求項６】
前記データ保存モジュールは、
前記リモートコントローラーの内部に形成される
ことを特徴とする請求項１〜５の何れか一項に記載の空気調和システム。
【発明の詳細な説明】
【技術分野】
【０００１】
本発明は、空気調和システムに関する。
【背景技術】
【０００２】
近年、ビル用マルチエアコンの需要が高まると共に、その規模も大きなものとなってきている。そこで、ビル用マルチエアコンを継続して稼働するために、さまざまなことが行われている。【０００３】
例えば、運転データ等を伝送する伝送データを用いて異常解析用のデータを収集するデータ収集装置を備えた空気調和システムがある（例えば、特許文献１参照）。【０００４】
また、例えば、室外ユニット、室内ユニット、及びリモートコントローラーと同一ネットワーク上に接続された異常検出装置を備えた空気調和システムがある（例えば、特許文献２参照）。
【先行技術文献】
【特許文献】
【０００５】
【特許文献１】特開２００８−１４４９７３号公報（段落［００２２］）
【特許文献２】特開２００７−３１８４７１号公報（段落［００２０］）
【発明の概要】
【発明が解決しようとする課題】
【０００６】
特許文献１に記載の空気調和システムは、信号電圧波形に重畳された伝送データに含まれるアラームコードに基づいて、システム内の機器の異常状態を検出する。しかし、特許文献１に記載の空気調和システムは、伝送データが重畳された信号電圧波形に基づいて、システム内の機器の異常状態を検出しない。【０００７】
よって、特許文献１に記載のような従来の空気調和システムは、伝送データが重畳された信号電圧波形に基づいて、システム内の機器の異常状態を検出しないため、信号電圧波形から伝送データを解読できない場合、システム内の機器の異常状態を検出することができないという問題点があった。【０００８】
特許文献２に記載の空気調和システムは、室外ユニット、室内ユニット、及びリモートコントローラーの外側に設けられた異常検出装置を用いて、システム内の機器の異常状態を検出する。よって、特許文献２に記載の空気調和システムは、室外ユニット、室内ユニット、及びリモートコントローラーの外側に異常検出装置を取り付けなければならないという問題点があった。【０００９】
したがって、特許文献１及び特許文献２に記載のような従来の空気調和システムは、室外ユニット、室内ユニット、及びリモートコントローラー等の空調設備の外側に異常検出装置を設けなければならず、しかも、伝送データが重畳された信号電圧波形に基づいて、システム内の機器の異常状態を検出することができないという問題点があった。【００１０】
本発明は、上記のような問題点を解決するためになされたもので、室外ユニット、室内ユニット、及びリモートコントローラー等の空調設備の外側に異常検出装置を設けることなく、伝送データが重畳された信号電圧波形に基づいて、システム内の機器の異常状態を検出することができる空気調和システムを提供することを目的とするものである。
【課題を解決するための手段】
【００１１】
本発明に係る空気調和システムは、室外ユニット、室内ユニット、及びリモートコントローラーを備え、前記室外ユニット、前記室内ユニット、及び前記リモートコントローラーのそれぞれが伝送媒体に接続される空気調和システムであって、少なくとも、前記室外ユニット、前記室内ユニット、及び前記リモートコントローラーのうちの何れかに形成され、前記伝送媒体で伝送される伝送データが重畳された信号電圧波形に関する波形データを保存するデータ保存モジュールと、前記データ保存モジュールを管理する制御モジュールとを備え、前記制御モジュールは、前記信号電圧波形の歪みが、予め設定された許容範囲を超えた場合、前記波形データを前記データ保存モジュールに格納するものである。
【発明の効果】
【００１２】
本発明は、少なくとも、室外ユニット、室内ユニット、及びリモートコントローラーの何れかの内部にシステム内の機器の異常状態を検出する機能を設けることで、室外ユニット、室内ユニット、及びリモートコントローラー等の空調設備の外側に異常検出装置を設ける必要がなくなった。さらに、本発明は、信号電圧波形そのものに基づいて、システム内の機器の異常状態を検出するので、伝送データが重畳された信号電圧波形に基づいて、システム内の機器の異常状態を検出する。したがって、本発明は、室外ユニット、室内ユニット、及びリモートコントローラー等の空調設備の外側に異常検出装置を設けることなく、伝送データが重畳された信号電圧波形に基づいて、システム内の機器の異常状態を検出することができる空気調和システムを提供することができるという効果を有する。
【図面の簡単な説明】
【００１３】
【図１】本発明の実施の形態１における空気調和システム１の概略構成の一例を示す図である。
【図２】本発明の実施の形態１における室外ユニット１１の冷媒回路構成の一例を示す図である。
【図３】本発明の実施の形態１における室内ユニット１３の冷媒回路構成の一例を示す図である。
【図４】本発明の実施の形態１における汎用機器コントローラー１７の機能構成の一例を示す図である。
【図５】従来技術における室外ユニット１１の内部構成の一例を示す図である。
【図６】本発明の実施の形態１における室外ユニット１１の内部構成の一例を示す図である。
【図７】本発明の実施の形態１における室外ユニット１１の機能構成の一例を示す図である。
【図８】本発明の実施の形態１における室外ユニット１１の制御例を説明するフローチャートである。
【図９】本発明の実施の形態２におけるデータ保存モジュール９９のデータセットの格納先の一例を示す図である。
【図１０】本発明の実施の形態２における室外ユニット１１の制御例を説明するフローチャートである。
【図１１】本発明の実施の形態３におけるデータ保存モジュール９９のデータセットの格納先の一例を示す図である。
【図１２】本発明の実施の形態３における室外ユニット１１の制御例を説明するフローチャートである。
【図１３】本発明の実施の形態４における室外ユニット１１＿１及び室外ユニット１１＿２のそれぞれの内部構成の一例を示す図である。
【図１４】本発明の実施の形態４における室外ユニット１１＿１の制御例を説明するフローチャートである。
【発明を実施するための形態】
【００１４】
以下、本発明の実施の形態について、図面を用いて詳細に説明する。なお、本発明の実施の形態１〜４の動作を行うプログラムを記述するステップは、記載された順序に沿って時系列に行われる処理であるが、必ずしも時系列に処理されなくても、並列的又は個別に実行される処理を含んでもよい。
【００１５】
また、本実施の形態で説明される各機能をハードウェアで実現するか、ソフトウェアで実現するかは問わない。つまり、本実施の形態で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。なお、本実施の形態で説明されるブロック図の各ブロックは、その機能が実施されればよく、それらの各ブロックで構成が分離されなくてもよい。
【００１６】
また、本実施の形態で説明される冷媒回路は一例を示し、図示された記載事項に限定されるものではない。なお、本実施の形態１〜４のそれぞれにおいて、特に記述しない項目については実施の形態１〜４と同様とし、同一の機能及び構成については同一の符号を用いて述べることとする。また、本実施の形態１〜４は、単独で実施されてもよく、組み合わせて実施されてもよい。いずれの場合においても、以降で説明する有利な効果を奏することとなる。また、本実施の形態１〜４のそれぞれで説明する各種値及びフラグ等の設定例は一例を示すだけであり、特にこれらに限定されない。
【００１７】
実施の形態１．
図１は、本発明の実施の形態１における空気調和システム１の概略構成の一例を示す図である。図１に示すように、空気調和システム１は、空調設備５＿１〜５＿Ｎと、汎用機器コントローラー１７＿１〜１７＿Ｎと、汎用機器群１８＿１〜１８＿Ｎと、集中コントローラー１９と、外部装置群２１とを備えている。空調設備５＿１〜５＿Ｎ、汎用機器コントローラー１７＿１〜１７＿Ｎ、及び集中コントローラー１９のそれぞれは、管理専用伝送線３３に接続されている。汎用機器コントローラー１７＿１〜１７＿Ｎ及び汎用機器群１８＿１〜１８＿Ｎのそれぞれは、汎用伝送線３１に接続されている。集中コントローラー１９及び外部装置群２１は、ＬＡＮ（Ｌｏｃａｌ  Ａｒｅａ  Ｎｅｔｗｏｒｋ）３７に接続されている。
【００１８】
空調設備５＿１について説明する。空調設備５＿１は、室外ユニット１１＿１〜１１＿Ｎ、室内ユニット１３＿１１〜１３＿ＮＮ、及びリモートコントローラー１５＿１〜１５＿Ｎ等を備えている。室外ユニット１１＿１〜１１＿Ｎ、室内ユニット１３＿１１〜１３＿ＮＮ、及びリモートコントローラー１５＿１〜１５＿Ｎのそれぞれは、室内外専用伝送線３５に接続されている。
【００１９】
なお、空調設備５＿Ｎについては、空調設備５＿１で説明した各機器と同様な機器を含んでいると想定する。よって、ここでは、空調設備５＿Ｎの説明については省略する。ただし、空調設備５＿１を構成する各機器と、空調設備５＿Ｎを構成する各機器とは、台数及び種類等が同じである必要はない。
【００２０】
汎用機器群１８＿１〜１８＿Ｎは、汎用伝送線３１に接続され、汎用機器コントローラー１７＿１〜１７＿Ｎで制御される機器から構成される。例えば、加湿器、ヒーター、換気扇、温度センサー、及び湿度センサー等（いずれも図示せず）が汎用機器群１８＿１〜１８＿Ｎに含まれる。なお、汎用機器コントローラー１７＿１〜１７＿Ｎの詳細例については、図４を用いて説明する。
【００２１】
集中コントローラー１９は、汎用機器コントローラー１７＿１〜１７＿Ｎ、空調設備５＿１〜５＿Ｎ、及び外部装置群２１等を管理する。集中コントローラー１９は、例えば、汎用機器コントローラー１７＿１〜１７＿Ｎの運転状態を管理する。集中コントローラー１９は、例えば、空調設備５＿１〜５＿Ｎの運転状態を管理する。集中コントローラー１９は、例えば、外部装置群２１の各種信号を管理する。
【００２２】
外部装置群２１は、ＬＡＮ３７に接続され、集中コントローラー１９で管理される機器から構成される。例えば、エネルギー管理装置、ＷＥＢブラウザ、無線送信機器、及びタブレット端末等（いずれも図示せず）が外部装置群２１に含まれる。
【００２３】
汎用伝送線３１、管理専用伝送線３３、及び室内外専用伝送線３５等の各種伝送媒体について説明する。汎用伝送線３１は、一般的に外部に公開された通信プロトコルに準拠した通信が行われる伝送媒体であって、例えば、汎用機器コントローラー１７＿１と、汎用機器群１８＿１とを接続し、汎用機器コントローラー１７＿Ｎと、汎用機器群１８＿Ｎとを接続している。管理専用伝送線３３は、外部に非公開である通信プロトコルに準拠した通信が行われる伝送媒体であって、例えば、空調設備５＿１〜５＿Ｎと、汎用機器コントローラー１７＿１〜１７＿Ｎと、集中コントローラー１９とを接続している。
【００２４】
室内外専用伝送線３５は、外部に非公開である通信プロトコルに準拠した通信が行われる伝送媒体である。室内外専用伝送線３５は、例えば、室外ユニット１１＿１〜１１＿３と、室内ユニット１３＿１１〜１３＿２Ｎと、リモートコントローラー１５＿１とを接続している。室内外専用伝送線３５は、例えば、室外ユニット１１＿Ｎと、室内ユニット１３＿Ｎ１〜１３＿ＮＮと、リモートコントローラー１５＿Ｎとを接続している。
【００２５】
なお、空調設備５＿１〜５＿Ｎのそれぞれを特に区別しない場合、空調設備５と称する。また、室外ユニット１１＿１〜１１＿Ｎのそれぞれを特に区別しない場合、室外ユニット１１と称する。また、室内ユニット１３＿１１〜１３＿ＮＮのそれぞれを特に区別しない場合、室内ユニット１３と称する。また、リモートコントローラー１５＿１〜１５＿Ｎのそれぞれを特に区別しない場合、リモートコントローラー１５と称する。また、汎用機器コントローラー１７＿１〜１７＿Ｎのそれぞれを特に区別しない場合、汎用機器コントローラー１７と称する。また、汎用機器群１８＿１〜１８＿Ｎのそれぞれを特に区別しない場合、汎用機器群１８と称する。
【００２６】
次に、空調設備５の一例であって、室外ユニット１１と、室内ユニット１３とで形成される空気調和機の冷媒回路構成例について図２及び図３を用いて説明する。なお、空気調和機を構成する室外ユニット１１及び室内ユニット１３のそれぞれの台数及び冷媒回路構成等は特に限定されない。また、室外ユニット１１及び室内ユニット１３のそれぞれの設置台数にかかわらず、室外ユニット１１及び室内ユニット１３を総称する場合、空気調和機と称する。また、以降で説明する空調設備５の一例である室外ユニット１１及び室内ユニット１３は、空調設備５の一例であって、空調設備５は、特にこれらに限定されない。
【００２７】
次に、室外ユニット１１について説明する。図２は、本発明の実施の形態１における室外ユニット１１の冷媒回路構成の一例を示す図である。図２に示すように、室外ユニット１１は、圧縮機６１、四方切換弁６２、熱交換器６３、膨張弁６４、アキュムレーター６５、ファン６６、及び制御基板５１等を備えている。室外ユニット１１の外側には、冷媒配管３９が接続され、冷媒配管３９は、室外ユニット１１内部の冷媒回路を形成する内側冷媒配管と接続されている。
【００２８】
圧縮機６１は、吸入した冷媒を圧縮し、運転周波数に基づいて任意の圧力を加えて吐出する機器である。圧縮機６１は、例えば、運転周波数を任意に変化させることで、容量、つまり、単位時間当たりの冷媒を送り出す量を変化させるインバータ回路を用いて変化させるインバータ圧縮機であってもよい。四方切換弁６２は、例えば、冷房運転又は暖房運転に応じて、内部冷媒配管の経路を切り換える弁である。熱交換器６３は、熱交換器６３を流通する冷媒と、熱交換器６３周囲の空気との熱交換を行う機器である。膨張弁６４は、制御基板５１の制御指令に基づいて、弁の開度を調整し、冷媒の流量を制御する機器である。アキュムレーター６５は、冷媒液を貯留し、気相の冷媒だけを圧縮機６１に吸入させる機器である。ファン６６は、例えば、熱交換器６３に、熱交換器６３と熱交換する空気を送る機器である。
【００２９】
制御基板５１には、伝送モジュール９１及び制御モジュール９５の機能が形成されている。制御基板５１は、室外ユニット１１における各種信号等の送受信及び室外ユニット１１に含まれる各種構成要素の制御を行う。伝送モジュール９１は、室内外専用伝送線３５を介して各種信号等を送受信する。制御モジュール９５は、温度センサー７１の検知結果を取得する。温度センサー７１は、室外ユニット１１の外側に設けられ、室外ユニット１１周辺の温度を検知する機器である。制御モジュール９５は、伝送モジュール９１から供給された各種信号と、温度センサー７１の検知結果とに基づいて、圧縮機６１、四方切換弁６２、膨張弁６４、及びファン６６のそれぞれの駆動を制御する。
【００３０】
また、制御モジュール９５は、伝送モジュール９１を用いて、室内外専用伝送線３５を介して、室内ユニット１３等の他のユニットと通信を行う。例えば、制御モジュール９５は、室内ユニット１３が保持する室内温度情報を得るために、室内ユニット１３に対し、室内温度情報を送信するように、室内ユニット１３に室内温度情報要求信号を伝送する。室内ユニット１３は、室内温度情報要求信号を受信したら、室内温度情報を、室内外専用伝送線３５を介して、室外ユニット１１に送信する。室外ユニット１１は、室内温度情報を受信し、制御モジュール９５は、室内温度情報を得ることができる。なお、室外ユニット１１の詳細動作については、図７を用いて後述する。
【００３１】
なお、伝送モジュール９１及び制御モジュール９５のそれぞれの詳細については図５〜図７を用いて後述する。また、図２において、温度センサー７１が室外ユニット１１の外側に設けられている一例が示されているが、温度センサー７１の配置構成は特にこれに限定されない。要するに、温度センサー７１が、室外ユニット１１周辺の温度を検知できる配置構成であればよい。
【００３２】
次に、室内ユニット１３について説明する。図３は、本発明の実施の形態１における室内ユニット１３の冷媒回路構成の一例を示す図である。図３に示すように、室内ユニット１３は、膨張弁６７、熱交換器６８、ファン６９、及び制御基板５３等を備えている。室内ユニット１３の外側には、冷媒配管３９が接続され、冷媒配管３９は、室内ユニット１３内部の冷媒回路を形成する内側冷媒配管と接続されている。
【００３３】
膨張弁６７は、制御基板５３の制御指令に基づいて、弁の開度を調整し、冷媒の流量を制御する機器である。ファン６９は、例えば、熱交換器６８に、熱交換器６８と熱交換する空気を送る機器である。
【００３４】
制御基板５３には、伝送モジュール９２及び制御モジュール９６が形成されている。制御基板５３は、室内ユニット１３における各種信号等の送受信及び室内ユニット１３に含まれる各種構成要素の制御を行う。伝送モジュール９２は、室内外専用伝送線３５を介して各種信号等を送受信する。制御モジュール９６は、湿度センサー７３及び温度センサー７５のそれぞれの検知結果を取得する。湿度センサー７３は、室内ユニット１３の外側に設けられ、室内ユニット１３周辺の湿度を検知する機器である。温度センサー７５は、室内ユニット１３の外側に設けられ、室内ユニット１３周辺の温度を検知する機器である。制御モジュール９６は、伝送モジュール９２から供給された各種信号と、湿度センサー７３の検知結果と、温度センサー７５の検知結果とに基づいて、膨張弁６７及びファン６９のそれぞれの駆動を制御する。
【００３５】
なお、図３において、湿度センサー７３及び温度センサー７５のそれぞれが室内ユニット１３の外側に設けられている一例が示されているが、湿度センサー７３及び温度センサー７５の配置構成については特にこれらに限定されない。要するに、湿度センサー７３が空調対象空間の湿度を検知する配置構成であればよく、温度センサー７５が空調対象空間の温度を検知する配置構成であればよい。
【００３６】
次に、上記で概要について説明した汎用機器コントローラー１７の詳細について図４を用いて説明する。図４は、本発明の実施の形態１における汎用機器コントローラー１７の機能構成の一例を示す図である。図４に示すように、汎用機器コントローラー１７は、インターフェース構成部１０１と、処理構成部１０３と、入出力ポート１０５とを備えている。汎用機器コントローラー１７は、管理専用伝送線３３を介して、空調設備５、例えば、室外ユニット１１及び室内ユニット１３と各種信号を送受信する。汎用機器コントローラー１７は、汎用伝送線３１を介して、汎用機器群１８と各種信号を送受信する。汎用機器コントローラー１７は、管理専用伝送線３３及び汎用伝送線３１を利用することで、例えば、室外ユニット１１及び室内ユニット１３と、汎用機器群１８とを連動制御する。
【００３７】
インターフェース構成部１０１は、記憶部１１１を備え、管理専用伝送線３３を流れる通信フレームを受信し、受信した通信フレームを記憶部１１１に記憶し、記憶部１１１に記憶した通信フレームを予め設定された周期で処理構成部１０３に供給する。つまり、インターフェース構成部１０１は、空調設備５と、処理構成部１０３との間で送受信される各種信号を中継する。
【００３８】
通信フレームは、管理専用伝送線３３を介した通信で用いられる通信プロトコルに準拠した形式で形成されたものである。通信フレームは、例えば、送信元アドレス、送信先アドレス、通信コマンドの電文長等の実データを含むヘッダー部と、通信コマンド部と、伝送エラーを検出するコード等を含むフレームチェック部とで形成されている。
【００３９】
処理構成部１０３は、第１通信部１２１、第２通信部１２３、記憶部モジュール１２５、及び制御部モジュール１２７を備えている。第１通信部１２１は、インターフェース構成部１０１から供給される各種信号等を予め設定された形式の信号に変換し、制御部モジュール１２７に供給する。第２通信部１２３は、入出力ポート１０５から供給される各種信号等を予め設定された形式に変換し、制御部モジュール１２７に供給する。
【００４０】
記憶部モジュール１２５は、インターフェース構成部１０１から供給される各種信号のうち、必要な信号が記憶される。記憶部モジュール１２５は、入出力ポート１０５から供給される各種信号のうち、入出力ポート番号が記憶される。制御部モジュール１２７は、更新可能なプログラムモジュールで形成され、適宜交換が可能なものである。
【００４１】
入出力ポート１０５は、第３通信部１３１、第４通信部１３２、アナログポート１３３、デジタルポート１３４、ＵＳＢ（Ｕｎｉｖｅｒｓａｌ  Ｓｅｒｉａｌ  Ｂｕｓ）ポート１３５、無線ポート１３６、ＬＡＮポート１３７、記憶部１３８、及び制御部１３９を備えている。第３通信部１３１は、第２通信部１２３と、制御部１３９との通信を中継する。第４通信部１３２は、制御部１３９と、アナログポート１３３との通信を中継する。第４通信部１３２は、制御部１３９と、デジタルポート１３４との通信を中継する。第４通信部１３２は、制御部１３９と、ＵＳＢポート１３５との通信を中継する。第４通信部１３２は、制御部１３９と、無線ポート１３６との通信を中継する。第４通信部１３２は、制御部１３９と、ＬＡＮポート１３７との通信を中継する。記憶部１３８は、各種信号等を記憶する。制御部１３９は、入出力ポート１０５を統括制御する。
【００４２】
次に、従来技術における室外ユニット１１の内部構成とその問題点とを図５を用いて説明し、図５に記載の室外ユニット１１の問題点を解決する室外ユニット１１について図５〜図７を用いて説明する。図５は、従来技術における室外ユニット１１の内部構成の一例を示す図である。図５に示すように、室外ユニット１１には、伝送信号解析装置１５１が取り付けられ、伝送信号解析装置１５１には、端末１５２が接続されている。また、伝送信号解析装置１５１及び端末１５２には、電源１５３が供給されている。
【００４３】
伝送信号解析装置１５１は、システム内で伝送異常等が発生した場合、原因調査をするために取り付けられるものである。伝送信号解析装置１５１は、異常発生時に、伝送データが重畳されていた信号電圧波形に関する波形データを取得する。そのような波形データは、例えば、信号電圧波形の物理データと、信号電圧波形の解釈データとで構成される。信号電圧波形の物理データは、時系列の信号電圧レベルのデータであり、信号電圧波形の解釈データは、伝送データの内容を示すデータである。
【００４４】
伝送信号解析装置１５１が取得した波形データは、端末１５２のハードディスク等に保存され、時系列の信号電圧レベルのデータと、伝送データの内容とが解析されることで、システム内の伝送異常等の原因調査が行われていた。次に、各室外ユニット１１及び各室内ユニット１３等のユニット間の伝送において、伝送異常が発生した場合について説明する。
【００４５】
突発的な外来ノイズが室内外専用伝送線３５に混入したり、端子台８１と、室内外専用伝送線３５との間で接触不良が生じたり、室内外専用伝送線３５の地絡が生じたりすると、室内外専用伝送線３５を伝達する信号電圧波形が減衰したり、歪んだりする。信号電圧波形が減衰したり、歪んだりすると、伝送モジュール９１は、信号電圧波形を正常に復号することができないため、誤った伝送データを制御モジュール９５に供給する虞がある。制御モジュール９５は、伝送モジュール９１から供給された伝送データが、本来受信されるはずでない誤った伝送データであると判定した場合、伝送データの送信元のユニットに再送信を要求する。
【００４６】
信号電圧波形が減衰したり、歪んだりした原因が突発的な外来ノイズである場合、制御モジュール９５が再送信を要求すれば、制御モジュール９５は、次に送信されてきたときには正しい伝送データを受信することができる。よって、室外ユニット１１は、空気調和運転を継続することができる。
【００４７】
しかし、信号電圧波形が減衰したり、歪んだりした原因が、端子台８１と、室内外専用伝送線３５との間で接触不良が生じたことであったり、室内外専用伝送線３５の地絡が生じたことであったりする場合、制御モジュール９５が再送信を要求したとしても、制御モジュール９５は、次に送信されてきたときにも正しい伝送データを受信することができない。この場合、室外ユニット１１は、繰り返し再送信を要求するが、繰り返し再送信を要求しても正常な伝送データを受信できない場合、空気調和運転を継続することができないと判断し、空気調和運転を停止する。
【００４８】
また、室外ユニット１１は、制御箱４１を備え、制御箱４１から供給される各種指令で圧縮機６１及びファン６６が制御されている。制御箱４１は、制御基板５１及び端子台８１を備え、端子台８１に室内外専用伝送線３５が接続されている。制御基板５１は、制御モジュール９５及び伝送モジュール９１を備え、制御モジュール９５で各種制御が実行され、伝送モジュール９１で各種信号の送受信が実行されている。
【００４９】
ところで、伝送信号解析装置１５１の取付作業には、空気調和システム１を納入した客先からの認許が必要であった。また、図５を用いて説明したように、伝送信号解析装置１５１を駆動させるには、電源１５３を確保しなければならなかった。また、空気調和システム１を納入した客先からの認許後、伝送信号解析装置１５１の取付作業が必要であった。また、伝送信号解析装置１５１を用いたデータ取得期間は、客先から伝送信号解析装置１５１の取付を認許された期間に限定されていた。そこで、本実施の形態１においては、後述する図６に示すように、制御基板５１内にデータ保存モジュール９９を設ける構成とした。
【００５０】
図６は、本発明の実施の形態１における室外ユニット１１の内部構成の一例を示す図である。図５との相違点は、制御基板５１にデータ保存モジュール９９が設けられた点及び端子台８１に伝送信号解析装置１５１が取り付けられていない点である。なお、伝送モジュール９１、制御モジュール９５、及びデータ保存モジュール９のそれぞれは、制御基板５１に形成される機能構成であって、物理構成、例えば、回路等に意味を限定するものではない。ただし、伝送モジュール９１、制御モジュール９５、及びデータ保存モジュール９９のそれぞれに相当する回路が実装されてもよい。要するに、図７を用いて後述する各機能が制御基板５１上で実施されればよい。
【００５１】
次に、室外ユニット１１の詳細について図７を用いて説明する。図７は、本発明の実施の形態１における室外ユニット１１の機能構成の一例を示す図である。図７に示すように、伝送モジュール９１は、送受信モジュール２０１と、受信モジュール２０３とを備えている。送受信モジュール２０１は、Ａ／Ｄ変換モジュール２１１と、復号器２１２とを備えている。送受信モジュール２０１は、Ｄ／Ａ変換モジュール２１３と、符号器２１４とを備えている。受信モジュール２０３は、Ａ／Ｄ変換モジュール２１５と、復号器２１６とを備えている。送受信モジュール２０１及び受信モジュール２０３のそれぞれには、端子台８１を介して供給された外部の機器からの各種信号が、ほぼ同時に供給されている。
【００５２】
伝送モジュール９１は、制御モジュール９５と、端子台８１との間に形成されている。伝送モジュール９１は、各種信号を予め設定された形式に変換し、室外ユニット１１から外部の機器へ送信する。伝送モジュール９１は、外部の機器から受信した各種信号を、予め設定された形式に変換し、室外ユニット１１へ供給する。送受信モジュール２０１と、制御モジュール９５とは、送受信データ信号線１６１で接続されている。受信モジュール２０３と、制御モジュール９５とは、トリガ信号線１６２及び受信データ信号線１６３で接続されている。
【００５３】
送受信データ信号線１６１は、制御モジュール９５と、送受信モジュール２０１との間で、各種信号を送受信させる伝送媒体である。トリガ信号線１６２は、制御モジュール９５から受信モジュール２０３に供給されるトリガ指令を伝送させる伝送媒体である。受信データ信号線１６３は、トリガ信号線１６２でトリガ指令送信後、トリガされた伝送データを、受信モジュール２０３から制御モジュール９５に伝送する伝送媒体である。
【００５４】
送受信モジュール２０１には、室外ユニット１１と、外部の機器との各種信号を送受信する機能が形成されている。例えば、室外ユニット１１から外部の機器へ各種信号を送信する場合、制御モジュール９５から供給された各種信号を符号器２１４で符号化し、符号化したデジタル信号を、Ｄ／Ａ変換モジュール２１３でアナログ信号に変換し、外部の機器へ送信する。このようにして室外ユニット１１から外部の機器へ送信される信号は、例えば、室内ユニット１３に向けた室内温度情報要求指令であったり、他機の室外ユニット１１に向けた伝送データであったりする。
【００５５】
また、例えば、外部の機器から室外ユニット１１へ各種信号を受信する場合、外部の機器から送信されたアナログ信号を、Ａ／Ｄ変換モジュール２１１でデジタル信号に変換し、変換したデジタル信号を復号器２１２で復号し、制御モジュール９５に供給する。このようにして外部の機器から室外ユニット１１へ供給される信号は、例えば、室内ユニット１３から送信された室内温度情報返答結果であったり、他機の室外ユニット１１から送信された伝送データであったりする。
【００５６】
また、例えば、制御モジュール９５が受信した伝送データが異常であると判定した場合には、送受信モジュール２０１で受信したアナログ信号と同じものが受信モジュール２０３で受信されているので、Ａ／Ｄ変換モジュール２１５でデジタル信号に変換し、変換したデジタル信号を復号器２１６で復号し、制御モジュール９５に供給する。
【００５７】
制御モジュール９５は、異常判定部３０１、判定閾値格納部３０３、信号電圧波形取込指示部３０５、信号電圧波形取込部３０７、信号管理部２３１、及び駆動指令部２３３等を備えている。異常判定部３０１は、信号管理部２３１から供給された各種データの信号電圧波形が異常状態であるか否かを判定する。具体的には、異常判定部３０１は、伝送データが重畳された信号電圧波形の物理データと、判定閾値格納部３０３に格納されている判定閾値とに基づいて、伝送データが重畳された信号電圧波形が異常状態であるか否かを判定する。
【００５８】
例えば、異常判定部３０１は、伝送データが重畳された信号電圧波形の電圧レベルが、判定閾値の許容範囲内にあれば、伝送データが重畳された信号電圧波形が異常状態でないと判定する。一方、異常判定部３０１は、伝送データが重畳された信号電圧波形の電圧レベルが、判定閾値の許容範囲外であれば、伝送データが重畳された信号電圧波形が異常状態であると判定する。異常判定部３０１は、伝送データが重畳された信号電圧波形が異常状態であると判定した場合、信号電圧波形取込指示部３０５に起動信号を送信する。
【００５９】
信号電圧波形取込指示部３０５は、異常判定部３０１から起動信号を受信した場合、トリガ信号線１６２を介して、受信モジュール２０３にトリガ信号を供給する。信号電圧波形取込部３０７は、トリガ信号線１６２を介してトリガされ、伝送信号が重畳された信号電圧波形データを、受信データ信号線１６３を介して取り込む。信号電圧波形取込部３０７は、取り込んだ信号電圧波形データをデータ保存モジュール９９に供給する。データ保存モジュール９９は、供給された信号電圧波形データを、信号電圧波形の物理データである信号電圧物理データと、信号電圧波形の解釈データである信号電圧解釈データとを紐付けて保存する。信号電圧物理データは、時系列の信号電圧波形の電圧レベルのデータである。信号電圧解釈データは、信号電圧波形に重畳した伝送データに含まれる伝送内容である。
【００６０】
信号管理部２３１は、制御モジュール９５で送受信される各種データを管理する。信号管理部２３１は、例えば、上記で説明したように、伝送モジュール９１から供給された各種信号として、伝送データが重畳された信号電圧波形の波形データを異常判定部３０１に供給する。
【００６１】
具体的には、信号管理部２３１は、制御指令送信部２４１、制御指令受信部２４２、情報取得指令送信部２４３、及び情報取得部２４４等を備えている。制御指令送信部２４１は、伝送モジュール９１を介して、他のユニット等に制御指令を送信する。制御指令受信部２４２は、伝送モジュール９１を介して、他のユニット等から供給された制御指令を受信する。情報取得指令送信部２４３は、伝送モジュール９１を介して、他のユニット等に各種情報取得指令を送信する。情報取得指令送信部２４３は、例えば、室内ユニット１３に室内温度情報を要求する。情報取得部２４４は、伝送モジュール９１を介して、他のユニット等から各種情報を受信する。情報取得部２４４は、例えば、室内ユニット１３から室内温度情報を取得する。
【００６２】
駆動指令部２３３は、自機の室外ユニット１１の各構成要素を駆動する指令を供給する。駆動指令部２３３は、圧縮機駆動指令部２５１、ファン駆動指令部２５２、膨張弁駆動指令部２５３、及び四方切換弁駆動指令部２５４等を備えている。圧縮機駆動指令部２５１は、圧縮機６１に圧縮機６１を駆動する指令を供給する。ファン駆動指令部２５２は、ファン６６にファン６６を駆動する指令を供給する。膨張弁駆動指令部２５３は、膨張弁６４に膨張弁６４を駆動する指令を供給する。四方切換弁駆動指令部２５４は、四方切換弁６２に四方切換弁６２を駆動する指令を供給する。
【００６３】
換言すれば、制御モジュール９５は、本来受信されるはずでない誤った伝送データを受信した場合、受信した伝送データに重畳された信号電圧波形の波形データをデータ保存モジュール９９に保存する。
【００６４】
なお、データ保存モジュール９９は、室外ユニット１１以外に形成されてもよい。データ保存モジュール９９は、例えば、室内ユニット１３に形成されてもよい。また、データ保存モジュール９９は、例えば、汎用機器コントローラー１７、汎用機器群１８、集中コントローラー１９、又は外部装置群２１に形成されてもよい。つまり、データ保存モジュール９９は、空気調和システム１の構成要素の何れに形成させてもよい。
【００６５】
次に、上記で説明した各種構成に基づいた空気調和システム１の動作について図８を用いて説明する。図８は、本発明の実施の形態１における室外ユニット１１の制御例を説明するフローチャートである。
【００６６】
（ステップＳ１１）
室外ユニット１１は、伝送データを受信したか否かを判定する。室外ユニット１１は、伝送データを受信した場合、ステップＳ１２に進む。一方、室外ユニット１１は、伝送データを受信しない場合、ステップＳ１１に戻る。
【００６７】
（ステップＳ１２）
室外ユニット１１は、伝送データが重畳された信号電圧波形の歪みが許容範囲内であるか否かを判定する。室外ユニット１１は、伝送データが重畳された信号電圧波形の歪みが許容範囲内である場合、処理を終了する。一方、室外ユニット１１は、伝送データが重畳された信号電圧波形の歪みが許容範囲内でない場合、ステップＳ１３に進む。
【００６８】
（ステップＳ１３）
室外ユニット１１は、伝送データが重畳された信号電圧波形に関する波形データを取り込む指令を出す。具体的には、図７に示すように、制御モジュール９５は、受信モジュール２０３に、トリガ信号線１６２を介して、トリガ信号を受信モジュール２０３に供給する。
【００６９】
（ステップＳ１４）
室外ユニット１１は、波形データを取り込んだか否かを判定する。室外ユニット１１は、波形データを取り込んだ場合、ステップＳ１５に進む。一方、室外ユニット１１は、波形データを取り込んでいない場合、ステップＳ１４に戻る。
【００７０】
（ステップＳ１５）
室外ユニット１１は、取り込んだ波形データを自機の室外ユニット１１内のデータ保存モジュール９９に保存し、処理を終了する。
【００７１】
上記の処理の結果、データ保存モジュール９９に、伝送データが重畳された信号電圧波形に関する波形データが保存されれば、空気調和システム１は、保存された波形データである信号電圧波形の物理データ及び信号電圧波形の解釈データを確認させることができる。上記で説明したように、信号電圧波形の物理データは、時系列の信号電圧レベルのデータであり、信号電圧波形の解釈データは、伝送データの伝送内容を示すデータである。
【００７２】
よって、保存された信号電圧波形の信号電圧物理データ及び保存された信号電圧波形の信号電圧解釈データを確認させることで、室外ユニット１１又は室内ユニット１３等のどのユニットに異常があるか、どの室内外専用伝送線３５に異常があるか、又は、どのような異常があるかを推測させることができる。
【００７３】
具体的には、信号電圧波形に異常があったとしても、信号電圧波形に重畳された伝送データを全く解読できないことはない。例えば、信号電圧波形の物理データと、許容範囲とに基づいて、解釈可能な伝送データのみ解釈したと想定する。この場合、解釈できた伝送内容が、送信元及び送信先である場合には、送信元と、送信先との間で想定される複数の伝送経路のうちの何れかの伝送経路に異常があると推測できる。つまり、どの室内外専用伝送線３５に異常があるかを推測できる。
【００７４】
また、例えば、信号電圧波形の信号電圧物理データを時系列で観測した場合に、特定の周期タイミングで、ノイズが混入されていると想定する。この場合、送信元のユニット側に異常があると推測できる。また、例えば、信号電圧波形の信号電圧物理データを時系列で観測した場合、ある一箇所だけ突発的にノイズが混入されていると想定する。この場合、室内外専用伝送線３５上に何らかの原因でサージ電圧が重畳されていたり、サージ電圧に伴って地絡が発生していることが推測できる。
【００７５】
また、例えば、特定のユニットから伝送される信号電圧波形の信号電圧物理データだけにノイズが混入されていることが判断できたと想定すれば、その特定のユニットが判断できるので、どのユニットに異常があるかを推測できる。また、信号電圧波形の物理データの歪み度合いが大きすぎて、信号電圧波形の解釈データがダミーデータのみ形成されている場合には、その信号電圧波形が伝送されるネットワーク内に異常があると推測できる。
【００７６】
以上のことから、空気調和システム１は、保存された波形データを提供することで、異常に至った原因箇所を絞り込ませることができる。
【００７７】
上記の説明から、空気調和システム１においては、データ保存モジュール９９が室外ユニット１１に形成され、室外ユニット１１は、伝送データが重畳された信号電圧波形が異常状態を示す場合、すなわち、伝送データが重畳された信号電圧波形の歪みが予め設定された許容範囲を超えた場合、伝送データが重畳された信号電圧波形に関する波形データをデータ保存モジュール９９に格納する。
【００７８】
よって、空気調和システム１は、室外ユニット１１内部で、伝送データが重畳された信号電圧波形の異常状態を判定させ、室外ユニット１１内部に、その信号電圧波形の波形データを保存する。したがって、空気調和システム１は、室外ユニット１１等の空調設備５の外側に異常検出装置を設けることなく、伝送データが重畳された信号電圧波形に基づいて、システム内の機器の異常状態を検出することができる。
【００７９】
また、室外ユニット１１内部で、伝送データが重畳された信号電圧波形の異常状態を判定させ、室外ユニット１１内部に、その信号電圧波形の波形データを保存するので、室外ユニット１１内部には異常判定等の処理を行う機器が既に組み込まれている。よって、室外ユニット１１の外側で、異常検出装置等を取り付ける作業をする必要がなく、異常検出装置等の組み込み許可を客先等から得る必要もない。
【００８０】
また、室外ユニット１１内部で、伝送データが重畳された信号電圧波形の異常状態を判定させ、室外ユニット１１内部に、その信号電圧波形の波形データを保存するので、そのような処理のための電源１５３を別途用意する必要がない。よって、そのような処理のために新たな電源１５３を確保する必要がない。
【００８１】
また、室外ユニット１１内部で、伝送データが重畳された信号電圧波形の異常状態を判定させ、室外ユニット１１内部に、その信号電圧波形の波形データを保存するので、異常検出装置等のように、異常検出装置等の認許期間がない。よって、定常的に、上記動作を実施でき、例えば、データ取得期間を限定する必要がない。
【００８２】
以上、本実施の形態１においては、室外ユニット１１、室内ユニット１３、及びリモートコントローラー１５を備え、室外ユニット１１、室内ユニット１３、及びリモートコントローラー１５のそれぞれが室内外専用伝送線３５に接続される空気調和システム１であって、少なくとも、室外ユニット１１、室内ユニット１３、及びリモートコントローラー１５のうちの何れかに形成され、室内外専用伝送線３５で伝送される伝送データが重畳された信号電圧波形に関する波形データを保存するデータ保存モジュール９９と、データ保存モジュール９９を管理する制御モジュール９５とを備え、制御モジュール９５は、信号電圧波形の歪みが、予め設定された許容範囲を超えた場合、波形データをデータ保存モジュール９９に格納する空気調和システム１が構成される。
【００８３】
上記構成のため、空気調和システム１は、室外ユニット１１、室内ユニット１３、及びリモートコントローラー１５等の空調設備５の外側に異常検出装置を設けることなく、伝送データが重畳された信号電圧波形に基づいて、システム内の機器の異常状態を検出することができる。
【００８４】
また、本実施の形態１においては、データ保存モジュール９９は、波形データとして、信号電圧波形の物理データと、信号電圧波形を解釈した解釈データと、を紐付けして保存する。
【００８５】
また、本実施の形態１においては、データ保存モジュール９９は、室外ユニット１１の内部に形成される。
【００８６】
したがって、空気調和システム１は、室外ユニット１１の空調設備５の外側に異常検出装置を設けることなく、伝送データが重畳された信号電圧波形に基づいて、システム内の機器の異常状態を特に顕著に検出することができる。
【００８７】
実施の形態２．
実施の形態１との相違点は、データ保存モジュール９９が室外ユニット１１から着脱可能な点にある。図９は、本発明の実施の形態２におけるデータ保存モジュール９９のデータセットの格納先の一例を示す図である。図９に示すように、制御基板５１は、その物理的構成として、ＣＰＵ（Ｃｅｎｔｒａｌ  Ｐｒｏｃｅｓｓｉｎｇ  Ｕｎｉｔ）４０１、ＲＯＭ（Ｒｅａｄ  Ｏｎｌｙ  Ｍｅｍｏｒｙ）４０２、ＲＡＭ（Ｒａｎｄｏｍ  Ａｃｃｅｓｓ  Ｍｅｍｏｒｙ）４０３、バス４０４、入出力インターフェース４０５、入力部４０６、出力部４０７、記憶部４０８、通信部４０９、及びドライブ４１０等を備えている。
【００８８】
ＣＰＵ４０１、ＲＯＭ４０２、及びＲＡＭ４０３は、バス４０４を介して、相互に接続されている。ＣＰＵ４０１、ＲＯＭ４０２、及びＲＡＭ４０３は、バス４０４を介して、入出力インターフェース４０５に接続されている。入出力インターフェース４０５には、入力部４０６、出力部４０７、記憶部４０８、通信部４０９、及びドライブ４１０が接続されている。
【００８９】
ＣＰＵ４０１は、ＲＯＭ４０２又は記憶部４０８に記憶されている各種プログラムに基づいて各種処理を実行する。ＲＡＭ４０３には、ＣＰＵ４０１が実行する各種プログラム又は各種データ等が適宜記憶される。ＣＰＵ４０１は、入力部４０６又は通信部４０９から入力される各種信号に対応して各種処理を実行する。ＣＰＵ４０１は、各種処理の結果を出力部４０７に出力する。
【００９０】
入力部４０６は、例えば、ロータリスイッチ、プッシュスイッチ、又はディップスイッチ（いずれも図示せず）等である。出力部４０７は、例えば、ＬＥＤ（Ｌｉｇｈｔ  Ｅｍｉｔｔｉｎｇ  Ｄｉｏｄｅ）又はデジタル表示器（いずれも図示せず）等である。通信部４０９は、その機能構成として、上記で説明した伝送モジュール９１で実現される。
【００９１】
記憶部４０８は、例えば、半導体メモリ等で構成され、ＣＰＵ４０１が実行する各種プログラム又は各種データを記憶する。通信部４０９は、外部と各種通信を行う。ドライブ４１０は、各種媒体が装着された場合、装着された媒体を駆動し、駆動した媒体に記憶されている各種データを取得し、必要に応じて記憶部４０８に転送させる。
【００９２】
図５に示すように、データ保存モジュール９９のデータセットには、信号電圧波形データがある。信号電圧波形データは、信号電圧物理データと、信号電圧解釈データとで形成される。そこで、データ保存モジュール９９のデータセットを、メモリカード４５１が備えるＲＡＭ４６１に格納させれば、メモリカード４５１を介して、制御基板５１上に論理的に形成されているデータ保存モジュール９９を交換することができる。
【００９３】
例えば、ドライブ４１０は、メモリカード４５１が装着されたとき、メモリカード４５１を駆動し、ＲＡＭ４０３は、ＲＡＭ４６１に記憶されているデータ保存モジュール９９のデータセットを取得する。取得されたデータ保存モジュール９９のデータセットは、必要に応じて記憶部４０８に転送され、記憶される。
【００９４】
なお、メモリカード４５１は、その実装形態を特に限定されない。例えば、メモリカード４５１は、ＳＤメモリーカードであってもよい。また、例えば、メモリカード４５１は、ＳＲＡＭ（Ｓｔａｔｉｃ  Ｒａｎｄｏｍ  Ａｃｃｅｓｓ  Ｍｅｍｏｒｙ）で実装されてもよい。また、例えば、メモリカード４５１は、ＣｏｍｐａｃｔＦｌａｓｈ（登録商標）で実装されてもよい。また、メモリカード４５１は、ＡＴＡ（ＡＴ  Ａｔｔａｃｈｍｅｎｔ）カードで実装されてもよい。要するに、メモリカード４５１は、不揮発性の記憶装置であればよい。
【００９５】
なお、データ保存モジュール９９の更新は、通信部４０９を介して実行されてもよい。例えば、通信部４０９を介して、インターネット等を用いて、データ保存モジュール９９のデータセットがアップロードされることで、更新されてもよい。
【００９６】
図１０は、本発明の実施の形態２における室外ユニット１１の制御例を説明するフローチャートである。
【００９７】
（ステップＳ２１）
室外ユニット１１は、ドライブ４１０が既に使用中であるか否かを判定する。室外ユニット１１は、ドライブ４１０が既に使用中である場合、ステップＳ２５に進む。一方、室外ユニット１１は、ドライブ４１０が既に使用中でない場合、ステップＳ２２に進む。
【００９８】
（ステップＳ２２）
室外ユニット１１は、ドライブ４１０が媒体を認識したか否かを判定する。室外ユニット１１は、ドライブ４１０が媒体を認識した場合、ステップＳ２３に進む。一方、室外ユニット１１は、ドライブ４１０が媒体を認識しない場合、ステップＳ２２に戻る。
【００９９】
（ステップＳ２３）
室外ユニット１１は、認識した媒体内にデータ保存モジュール９９のデータセットが存在するか否かを判定する。室外ユニット１１は、認識した媒体内にデータ保存モジュール９９のデータセットが存在する場合、ステップＳ２４に進む。一方、室外ユニット１１は、認識した媒体内にデータ保存モジュール９９のデータセットが存在しない場合、処理を終了する。
【０１００】
（ステップＳ２４）
室外ユニット１１は、認識した媒体内のデータ保存モジュール９９のデータセットをマウントする。ここでいうマウントとは、制御モジュール９５が媒体を使用可能な状態になることを意味する。
【０１０１】
（ステップＳ２５）
室外ユニット１１は、データ保存モジュール９９のデータセットをアンマウントする指示があるか否かを判定する。室外ユニット１１は、データ保存モジュール９９のデータセットをアンマウントする指示がある場合、ステップＳ２６に進む。一方、室外ユニット１１は、データ保存モジュール９９のデータセットをアンマウントする指示がない場合、ステップＳ２５に戻る。ここでいうアンマウントとは、制御モジュール９５が媒体を使用不可な状態になることを意味する。
【０１０２】
（ステップＳ２６）
室外ユニット１１は、データ保存モジュール９９のデータセットをアンマウントし、処理を終了する。
【０１０３】
上記の説明から、空気調和システム１は、データ保存モジュール９９を室外ユニット１１から着脱可能な記録媒体の内部に形成させることができる。よって、データ保存モジュール９９に蓄積された各種データに含まれている空気調和システム１の運用データ等を解析する作業者が室外ユニット１１等が設けられている現場に行くことができない場合があったとしても、他の者が記録媒体を取り出し、取り出した記録媒体を空気調和システム１の運用データ等を解析する作業者に送付することで、データ保存モジュール９９に蓄積された各種データに含まれている空気調和システム１の運用データ等を解析させることができる。
【０１０４】
以上、本実施の形態２において、データ保存モジュール９９は、室外ユニット１１から着脱可能な記録媒体の内部に形成される。
【０１０５】
上記構成のため、データ保存モジュール９９に蓄積された各種データは、簡易に取り出し可能に形成されている。よって、データ保存モジュール９９に蓄積された各種データに含まれている空気調和システム１の運用データ等を解析する作業者が室外ユニット１１等が設けられている現場に行くことができない場合があったとしても、他の者が記録媒体を取り出し、取り出した記録媒体を空気調和システム１の運用データ等を解析する作業者に送付することで、データ保存モジュール９９に蓄積された各種データに含まれている空気調和システム１の運用データ等を解析させることができる。
【０１０６】
実施の形態３．
実施の形態１及び実施の形態２との相違点は、データ保存モジュール９９がリモートコントローラー１５に形成される点にある。図１１は、本発明の実施の形態３におけるデータ保存モジュール９９のデータセットの格納先の一例を示す図である。図１１に示すように、制御基板５９は、その物理的構成として、ＣＰＵ５０１、ＲＯＭ５０２、ＲＡＭ５０３、バス５０４、入出力インターフェース５０５、入力部５０６、出力部５０７、記憶部５０８、及び通信部５０９等を備えている。
【０１０７】
ＣＰＵ５０１、ＲＯＭ５０２、及びＲＡＭ５０３は、バス５０４を介して、相互に接続されている。ＣＰＵ５０１、ＲＯＭ５０２、及びＲＡＭ５０３は、バス５０４を介して、入出力インターフェース５０５に接続されている。入出力インターフェース５０５には、入力部５０６、出力部５０７、記憶部５０８、及び通信部５０９が接続されている。
【０１０８】
ＣＰＵ５０１は、ＲＯＭ５０２又は記憶部５０８に記憶されている各種プログラムに基づいて各種処理を実行する。ＲＡＭ５０３には、ＣＰＵ５０１が実行する各種プログラム又は各種データ等が適宜記憶される。ＣＰＵ５０１は、入力部５０６、例えば、各種ボタン又はタッチパネル等から入力される各種信号に対応して各種処理を実行する。ＣＰＵ５０１は、各種処理の結果を出力部５０７、例えば、リモートコントローラー１５の図示しない液晶画面に出力する。
【０１０９】
記憶部５０８は、例えば、半導体メモリ等で構成され、ＣＰＵ５０１が実行する各種プログラム又は各種データを記憶する。通信部５０９は、外部と各種通信を行う。通信部５０９は、室内外専用伝送線３５を介して、室外ユニット１１又は室内ユニット１３と各種信号を送受信する。なお、室内外専用伝送線３５は、有線通信を行う伝送媒体であってもよく、無線通信を行う伝送媒体であってもよく、光通信を行う伝送媒体であってもよい。
【０１１０】
図１１に示すように、データ保存モジュール９９のデータセットには、信号電圧波形データがある。信号電圧波形データは、信号電圧物理データと、信号電圧解釈データとで形成される。そこで、通信部５０９は、室内外専用伝送線３５を介して、データ保存モジュール９９のデータセットを取得し、記憶部５０８に格納させれば、室内外専用伝送線３５を介して、リモートコントローラー１５の内部にデータ保存モジュール９９を形成することができる。
【０１１１】
図１２は、本発明の実施の形態３における室外ユニット１１の制御例を説明するフローチャートである。
【０１１２】
（ステップＳ３１）
室外ユニット１１は、伝送データを受信したか否かを判定する。室外ユニット１１は、伝送データを受信した場合、ステップＳ３２に進む。一方、室外ユニット１１は、伝送データを受信しない場合、ステップＳ３１に戻る。
【０１１３】
（ステップＳ３２）
室外ユニット１１は、伝送データが重畳された信号電圧波形の歪みが許容範囲内であるか否かを判定する。室外ユニット１１は、伝送データが重畳された信号電圧波形の歪みが許容範囲内である場合、処理を終了する。一方、室外ユニット１１は、伝送データが重畳された信号電圧波形の歪みが許容範囲内でない場合、ステップＳ３３に進む。
【０１１４】
（ステップＳ３３）
室外ユニット１１は、伝送データが重畳された信号電圧波形に関する波形データを取り込む指令を出す。
【０１１５】
（ステップＳ３４）
室外ユニット１１は、波形データを取り込んだか否かを判定する。室外ユニット１１は、波形データを取り込んだ場合、ステップＳ３５に進む。一方、室外ユニット１１は、波形データを取り込んでいない場合、ステップＳ３４に戻る。
【０１１６】
（ステップＳ３５）
室外ユニット１１は、取り込んだ波形データをリモートコントローラー１５内の記憶部５０８に保存し、処理を終了する。
【０１１７】
上記の説明から、空気調和システム１は、リモートコントローラー１５にデータ保存モジュール９９を形成させることができる。よって、建物の屋上等のように、人が近づきにくい場所に設置されることが多い室外ユニット１１の設置箇所まで作業者等が行かなくても、空気調和システム１は、人が近づきやすいリモートコントローラー１５からデータ保存モジュール９９に蓄積された各種データを取得させることができる。
【０１１８】
以上、本実施の形態３において、データ保存モジュール９９は、リモートコントローラー１５の内部に形成される。
【０１１９】
上記構成のため、空気調和システム１は、建物の屋上等のように、人が近づきにくい場所に設置されることが多い室外ユニット１１の設置箇所まで作業者等を行かせなくても、人が近づきやすいリモートコントローラー１５からデータ保存モジュール９９に蓄積された各種データを取得させることができる。
【０１２０】
実施の形態４．
実施の形態１〜実施の形態３との相違点は、異常状態を検出した室外ユニット１１以外の室外ユニット１１に、異常状態が検出された伝送データを保存させる点にある。図１３は、本発明の実施の形態４における室外ユニット１１＿１及び室外ユニット１１＿２のそれぞれの内部構成の一例を示す図である。
【０１２１】
なお、室外ユニット１１＿１及び室外ユニット１１＿２の何れにおいても、室外ユニット１１と同様の機能及び構成であるため、ここでは、それらの説明については省略する。また、上記で説明したように、室外ユニット１１同士は、伝送媒体である室内外専用伝送線３５を介して、各種信号の送受信をすることができる。また、上記で説明したように、各室外ユニット１１のそれぞれは、データ保存モジュール９９が形成されている。
【０１２２】
図１４は、本発明の実施の形態４における室外ユニット１１＿１の制御例を説明するフローチャートである。
【０１２３】
（ステップＳ４１）
室外ユニット１１＿１は、伝送データを受信したか否かを判定する。室外ユニット１１＿１は、伝送データを受信した場合、ステップＳ４２に進む。一方、室外ユニット１１＿１は、伝送データを受信しない場合、ステップＳ４１に戻る。
【０１２４】
（ステップＳ４２）
室外ユニット１１＿１は、伝送データが重畳された信号電圧波形の歪みが許容範囲内であるか否かを判定する。室外ユニット１１＿１は、伝送データが重畳された信号電圧波形の歪みが許容範囲内である場合、処理を終了する。一方、室外ユニット１１＿１は、伝送データが重畳された信号電圧波形の歪みが許容範囲内でない場合、ステップＳ４３に進む。
【０１２５】
（ステップＳ４３）
室外ユニット１１＿１は、伝送データが重畳された信号電圧波形に関する波形データを取り込む指令を出す。
【０１２６】
（ステップＳ４４）
室外ユニット１１＿１は、波形データを取り込んだか否かを判定する。室外ユニット１１＿１は、波形データを取り込んだ場合、ステップＳ４５に進む。一方、室外ユニット１１＿１は、波形データを取り込んでいない場合、ステップＳ４４に戻る。
【０１２７】
（ステップＳ４５）
室外ユニット１１＿１は、取り込んだ波形データを他機の室外ユニット１１＿２内のデータ保存モジュール９９＿２に保存し、処理を終了する。
【０１２８】
上記の説明から、空気調和システム１は、各室外ユニット１１のそれぞれにデータ保存モジュール９９が形成されており、室外ユニット１１同士が各種信号を送受信することができるので、信号電圧波形の歪みを検出した室外ユニット１１以外の室外ユニット１１に、歪みが検出された信号電圧波形に関する波形データを保存させることができる。
【０１２９】
なお、上記説明では、室外ユニット１１＿１の動作例として説明したが、他の室外ユニット１１、例えば、室外ユニット１１＿２の動作例であってもよい。室外ユニット１１＿２の動作例である場合、ステップＳ４５における他機の室外ユニット１１とは、図１３の一例であれば、室外ユニット１１＿１となる。要するに、自機の室外ユニット１１から他機の室外ユニット１１へ伝送データが送信され、送信先の他機の室外ユニット１１へ送信された伝送データが保存されればよい。
【０１３０】
以上、本実施の形態４においては、室外ユニット１１が複数設けられ、複数の室外ユニット１１のそれぞれが室内外専用伝送線３５に接続され、室外ユニット１１は、複数の室外ユニット１１のうち、当該室外ユニット１１以外の室外ユニット１１の内部に形成されたデータ保存モジュール９９に波形データを保存させる。
【０１３１】
上記構成のため、空気調和システム１は、信号電圧波形の歪みを検出した室外ユニット１１以外の室外ユニット１１に、歪みが検出された信号電圧波形に関する波形データを保存させることができる。
【符号の説明】
【０１３２】
１  空気調和システム、５、５＿１〜５＿Ｎ  空調設備、１１、１１＿１〜１１＿Ｎ  室外ユニット、１３、１３＿１１〜１３＿ＮＮ  室内ユニット、１５、１５＿１〜１５＿Ｎ  リモートコントローラー、１７、１７＿１〜１７＿Ｎ  汎用機器コントローラー、１８、１８＿１〜１８＿Ｎ  汎用機器群、１９  集中コントローラー、２１  外部装置群、３１  汎用伝送線、３３  管理専用伝送線、３５  室内外専用伝送線、３７  ＬＡＮ、３９  冷媒配管、４１、４１＿１、４１＿２  制御箱、５１、５１＿１、５１＿２、５３、５９  制御基板、６１、６１＿１、６１＿２  圧縮機、６２  四方切換弁、６３、６８  熱交換器、６４、６７  膨張弁、６５  アキュムレーター、６６、６６＿１、６６＿２、６９  ファン、７１、７５  温度センサー、７３  湿度センサー、８１、８１＿１、８１＿２  端子台、９１、９１＿１、９１＿２、９２  伝送モジュール、９５、９５＿１、９５＿２、９６  制御モジュール、９９、９９＿１、９９＿２  データ保存モジュール、１０１  インターフェース構成部、１０３  処理構成部、１０５  入出力ポート、１０９  汎用機器、１１１、１３８、４０８、５０８  記憶部、１２１  第１通信部、１２３  第２通信部、１２５  記憶部モジュール、１２７  制御部モジュール、１３１  第３通信部、１３２  第４通信部、１３３  アナログポート、１３４  デジタルポート、１３５  ＵＳＢポート、１３６  無線ポート、１３７  ＬＡＮポート、１３９  制御部、１５１  伝送信号解析装置、１５２  端末、１５３  電源、１６１  送受信データ信号線、１６２  トリガ信号線、１６３  受信データ信号線、２０１  送受信モジュール、２０３  受信モジュール、２１１、２１５  Ａ／Ｄ変換モジュール、２１２、２１６  復号器、２１３  Ｄ／Ａ変換モジュール、２１４  符号器、２３１  信号管理部、２３３  駆動指令部、２４１  制御指令送信部、２４２  制御指令受信部、２４３  情報取得指令送信部、２４４  情報取得部、２５１  圧縮機駆動指令部、２５２  ファン駆動指令部、２５３  膨張弁駆動指令部、２５４  四方切換弁駆動指令部、３０１  異常判定部、３０３  判定閾値格納部、３０５  信号電圧波形取込指示部、３０７  信号電圧波形取込部、３１１  信号電圧波形データ、３２１  信号電圧物理データ、３２３  信号電圧解釈データ、４０１、５０１  ＣＰＵ、４０２、５０２  ＲＯＭ、４０４、５０４  バス、４０５、５０５  入出力インターフェース、４０６、５０６  入力部、４０７、５０７  出力部、４０９、５０９  通信部、４１０  ドライブ、４５１  メモリカード、４０３、４６１、５０３  ＲＡＭ。
【図１】
2014188574.tif 000003
【図２】
2014188574.tif 000004
【図３】
2014188574.tif 000005
【図４】
2014188574.tif 000006
【図５】
2014188574.tif 000007
【図６】
2014188574.tif 000008
【図７】
2014188574.tif 000009
【図８】
2014188574.tif 000010
【図９】
2014188574.tif 000011
【図１０】
2014188574.tif 000012
【図１１】
2014188574.tif 000013
【図１２】
2014188574.tif 000014
【図１３】
2014188574.tif 000015
【図１４】
2014188574.tif 000016
【手続補正書】
【提出日】平成27年9月9日(2015.9.9)
【手続補正１】
【補正対象書類名】明細書
【補正対象項目名】００１１
【補正方法】変更
【補正の内容】
【００１１】
本発明に係る空気調和システムは、室外ユニット、室内ユニット、及びリモートコントローラーを備え、前記室外ユニット、前記室内ユニット、及び前記リモートコントローラーのそれぞれが伝送媒体に接続される空気調和システムであって、少なくとも、前記室外ユニット、前記室内ユニット、及び前記リモートコントローラーのうちの何れかに形成され、前記伝送媒体で伝送される伝送データが重畳された信号電圧波形に関する波形データを保存するデータ保存モジュールと、前記データ保存モジュールを管理する制御モジュールと、を備え、前記データ保存モジュールは、前記波形データとして、時系列における前記信号電圧波形の信号電圧レベルを示す物理データと、前記信号電圧波形に重畳された前記伝送データに含まれる伝送内容を示す解釈データと、を紐付けして保存するものであり、前記制御モジュールは、前記信号電圧波形の歪みが、予め設定された許容範囲を超えた場合、前記波形データを前記データ保存モジュールに格納するものである。
【手続補正２】
【補正対象書類名】特許請求の範囲
【補正対象項目名】全文
【補正方法】変更
【補正の内容】
【特許請求の範囲】
【請求項１】
室外ユニット、室内ユニット、及びリモートコントローラーを備え、前記室外ユニット、前記室内ユニット、及び前記リモートコントローラーのそれぞれが伝送媒体に接続される空気調和システムであって、
少なくとも、前記室外ユニット、前記室内ユニット、及び前記リモートコントローラーのうちの何れかに形成され、前記伝送媒体で伝送される伝送データが重畳された信号電圧波形に関する波形データを保存するデータ保存モジュールと、
前記データ保存モジュールを管理する制御モジュールと、
を備え、
前記データ保存モジュールは、
前記波形データとして、時系列における前記信号電圧波形の信号電圧レベルを示す物理データと、前記信号電圧波形に重畳された前記伝送データに含まれる伝送内容を示す解釈データと、を紐付けして保存するものであり、
前記制御モジュールは、
前記信号電圧波形の歪みが、予め設定された許容範囲を超えた場合、前記波形データを前記データ保存モジュールに格納する
ことを特徴とする空気調和システム。
【請求項２】
前記データ保存モジュールは、
前記室外ユニットの内部に形成される
ことを特徴とする請求項１に記載の空気調和システム。
【請求項３】
前記データ保存モジュールは、
前記室外ユニットから着脱可能な記録媒体の内部に形成される
ことを特徴とする請求項２に記載の空気調和システム。
【請求項４】
前記室外ユニットが複数設けられ、
複数の前記室外ユニットのそれぞれが前記伝送媒体に接続され、
前記室外ユニットは、
複数の前記室外ユニットのうち、当該室外ユニット以外の前記室外ユニットの内部に形成された前記データ保存モジュールに前記波形データを保存させる
ことを特徴とする請求項２又は３に記載の空気調和システム。
【請求項５】
前記データ保存モジュールは、
前記リモートコントローラーの内部に形成される
ことを特徴とする請求項１〜４の何れか一項に記載の空気調和システム。
【手続補正書】
【提出日】平成28年8月29日(2016.8.29)
【手続補正１】
【補正対象書類名】明細書
【補正対象項目名】００１１
【補正方法】変更
【補正の内容】
【００１１】
本発明に係る空気調和システムは、室外ユニット、室内ユニット、及びリモートコントローラーを備え、前記室外ユニット、前記室内ユニット、及び前記リモートコントローラーのそれぞれが伝送媒体に接続される空気調和システムであって、少なくとも、前記室外ユニット、前記室内ユニット、及び前記リモートコントローラーのうちの何れかに形成され、前記伝送媒体で伝送される運転データが重畳された信号電圧波形に関する波形データを保存するデータ保存モジュールと、前記データ保存モジュールを管理する制御モジュールと、を備え、前記データ保存モジュールは、前記波形データとして、時系列における前記信号電圧波形の信号電圧レベルを示す物理データと、前記信号電圧波形に重畳された前記運転データに含まれる伝送内容を示す解釈データと、を紐付けして保存するものであり、前記制御モジュールは、前記信号電圧波形の歪みが、予め設定された許容範囲を超えた場合、前記波形データを前記データ保存モジュールに格納するものである。
【手続補正２】
【補正対象書類名】特許請求の範囲
【補正対象項目名】全文
【補正方法】変更
【補正の内容】
【特許請求の範囲】
【請求項１】
室外ユニット、室内ユニット、及びリモートコントローラーを備え、前記室外ユニット、前記室内ユニット、及び前記リモートコントローラーのそれぞれが伝送媒体に接続される空気調和システムであって、
少なくとも、前記室外ユニット、前記室内ユニット、及び前記リモートコントローラーのうちの何れかに形成され、前記伝送媒体で伝送される運転データが重畳された信号電圧波形に関する波形データを保存するデータ保存モジュールと、
前記データ保存モジュールを管理する制御モジュールと、
を備え、
前記データ保存モジュールは、
前記波形データとして、時系列における前記信号電圧波形の信号電圧レベルを示す物理データと、前記信号電圧波形に重畳された前記運転データに含まれる伝送内容を示す解釈データと、を紐付けして保存するものであり、
前記制御モジュールは、
前記信号電圧波形の歪みが、予め設定された許容範囲を超えた場合、前記波形データを前記データ保存モジュールに格納する
ことを特徴とする空気調和システム。
【請求項２】
前記データ保存モジュールは、
前記室外ユニットの内部に形成される
ことを特徴とする請求項１に記載の空気調和システム。
【請求項３】
前記データ保存モジュールは、
前記室外ユニットから着脱可能な記録媒体の内部に形成される
ことを特徴とする請求項２に記載の空気調和システム。
【請求項４】
前記室外ユニットが複数設けられ、
複数の前記室外ユニットのそれぞれが前記伝送媒体に接続され、
前記室外ユニットは、
複数の前記室外ユニットのうち、当該室外ユニット以外の前記室外ユニットの内部に形成された前記データ保存モジュールに前記波形データを保存させる
ことを特徴とする請求項２又は３に記載の空気調和システム。
【請求項５】
前記データ保存モジュールは、
前記リモートコントローラーの内部に形成される
ことを特徴とする請求項１〜４の何れか一項に記載の空気調和システム。
【国際調査報告】
2014188574.tif 000017
2014188574.tif 000018
2014188574.tif 000019
2014188574.tif 000020